(57)【要約】 【課題】  安全性の向上を図る。【解決手段】  ケース体４を有する本体２に操作キャップ３が回動自在に支持されたライター１において、ロック孔３２ｂと火口３２ａを有しノズル５を覆うフレームカバー３１と、ロック孔に挿入され操作キャップの本体に対する回動を規制するロック位置とロック孔から引き出され操作キャップの本体に対する回動を可能とする非ロック位置との間で操作キャップに移動自在に支持されると共に被作用部１９、１９を有するロック部材１６と、ロック部材をロック位置へ向けて付勢するロック用バネ２６と、ロック部材の被作用部に摺動可能とされた作用部２３、２３を有すると共に作用部が被作用部に摺動してロック部材を非ロック位置に移動させるロック解除位置とロック部材をロック位置に保持する保持位置との間で操作キャップに移動自在に支持されたロック解除レバー２０とを設けた。【選択図】        図６
2011112292.tif 000002
【特許請求の範囲】
【請求項１】
内部に燃料が封入されたケース体を有する本体と、前記本体に回動自在に支持された操作キャップと、前記操作キャップを一方向へ操作して所定の方向へ回動させることによって燃料に点火するライターであって、
前記操作キャップが前記一方向へ操作されて前記所定の方向へ回動されたときに前記燃料を外部に噴出させるノズルと、
ロック孔と点火されて灯された炎が噴出される火口とを有し前記ノズルを覆うフレームカバーと、
前記フレームカバーのロック孔に挿入され前記操作キャップの前記本体に対する前記所定の方向への回動を規制するロック位置と前記フレームカバーのロック孔から引き出され前記操作キャップの前記本体に対する前記所定の方向への回動を可能とする非ロック位置との間で前記操作キャップに移動自在に支持されると共に被作用部を有するロック部材と、
前記ロック部材を前記ロック位置へ向けて付勢するロック用バネと、
前記ロック部材の被作用部に摺動可能とされた作用部を有すると共に前記作用部が前記被作用部に摺動して前記ロック部材を前記非ロック位置に移動させるロック解除位置と前記ロック部材を前記ロック位置に保持する保持位置との間で前記操作キャップに移動自在に支持されたロック解除レバーとを備えた
ことを特徴とするライター。
【請求項２】
前記操作キャップを操作する前記一方向と前記ロック解除レバーの前記保持位置から前記ロック解除位置へ向かう方向とを異なる方向にした
ことを特徴とする請求項１に記載のライター。
【請求項３】
前記操作キャップを操作する前記一方向と前記ロック解除レバーの前記保持位置から前記ロック解除位置へ向かう方向とを直交する方向にした
ことを特徴とする請求項１に記載のライター。
【請求項４】
前記ロック解除レバーを前記保持位置へ向けて付勢する付勢バネを設けた
ことを特徴とする請求項１、請求項２又は請求項３に記載のライター。
【請求項５】
前記ロック解除レバーの作用部に前記ロック部材の被作用部と摺動可能とされる摺動傾斜面を形成し、
前記ロック解除レバーの作用部に前記ロック部材の被作用部を介して前記ロック用バネの付勢力が伝達されて前記ロック解除レバーが前記保持位置へ向けて付勢されるようにした
ことを特徴とする請求項１、請求項２又は請求項３に記載のライター。
【発明の詳細な説明】
【技術分野】
【０００１】
本発明はライターに関する。詳しくは、ロック部材とロック解除レバーを設けて操作キャップの本体に対する回動動作を規制して安全性の向上を図る技術分野に関する。
【背景技術】
【０００２】
主に、タバコに火を付けるために用いられるライターがある。
【０００３】
ライターには、内部に液化燃料が封入されたケース体の上方側にノズル、該ノズルを覆うフレームカバー、点火時の操作部として機能する操作キャップ等の所要の各部が配置され、操作キャップが操作されてケース体に対して所定の方向へ回動されることによりノズルから噴出される燃料に点火するようにされたものがある（例えば、特許文献１参照）。
【０００４】
以下に、このような従来のライターの一例を示す（図９及び図１０参照）。
【０００５】
ライターａは縦長のケース体ｂを有し、該ケース体ｂに液化燃料が封入されている。ケース体ｂの内部には図示しない点火手段が配置されている。
【０００６】
ケース体ｂの上部における一端部側には上下に延びるノズルｃが配置されている。ノズルｃの下方には、ケース体ｂの内部に図示しない弁機構及び燃料パイプが配置されている。
【０００７】
ケース体ｂの上部における一端部側には火力を調整するための調整用摘子ｄが支持されている。
【０００８】
ケース体ｂの上部には操作キャップｅが回動自在に支持されている。操作キャップｅは点火時に操作される操作部ｆとノズルｃの上方側を閉塞する閉塞部ｇと操作部ｆから略下方へ突出された被支持アームｈ、ｈとを有し、該被支持アームｈ、ｈの下端部がそれぞれケース体ｂに回動自在に支持されている。
【０００９】
ケース体ｂの上部にはノズルｃを覆うフレームカバーｉが取り付けられている。フレームカバーｉには、上面部に上下に貫通された火口ｊが形成され、周面部に空気孔ｋ、ｋ、ｋが形成されている。
【００１０】
以上のように構成されたライターａにおいて、図１０に示すように、操作部ｆが下方へ押圧されて操作キャップｅがケース体ｂに対して所定の方向へ回動されると、弁機構によって燃料供給路が開放され、液化燃料が気化して燃料パイプを介して燃料用ガスとしてノズルｃから噴出される。同時に、操作キャップｅが回動されることによりケース体ｂの内部に配置された点火手段が動作され、ノズルｃから噴出された燃料用ガスに点火される。
【００１１】
点火された燃料用ガスはフレームカバーｉの火口ｊ付近で燃焼されて炎が火口ｊから上方へ延びるように灯される。
【００１２】
操作部ｆに対する下方への押圧を解除すると、図示しない付勢手段によって操作キャップｅがケース体ｂに対して上記とは反対方向へ回動され（図９参照）、弁機構によって燃料供給路が閉塞され、燃料用ガスのノズルｃからの噴出が停止されて消火される。
【００１３】
操作キャップｅはフレームカバーｉの火口ｊを上方から閉塞する元の位置に戻る。
【００１４】
【特許文献１】特開２００４−２７０９９３号公報
【発明の開示】
【発明が解決しようとする課題】
【００１５】
ところが、上記した従来のライターａにあっては、操作部ｆを下方へ押圧して操作キャップｅをケース体ｂに対して所定の方向へ回動させるだけで点火が行われてしまう。従って、ライターａを把持しているときに、誤って操作部ｆが下方へ押圧され操作キャップｅが回動されて点火が行われてしまうおそれがあり、安全性を損なってしまう。
【００１６】
特に、子供や若年者がライターａを把持してしまったときに操作部ｆを下方へ押圧し操作キャップｅを回動させてしまうと、子供や若年者に対する安全性を確保することができない。
【００１７】
そこで本発明ライターは、上記した問題点を克服し、安全性の向上を図ることを課題とする。
【課題を解決するための手段】
【００１８】
ライターは、上記した課題を解決するために、内部に燃料が封入されたケース体を有する本体と、前記本体に回動自在に支持された操作キャップと、前記操作キャップを一方向へ操作して所定の方向へ回動させることによって燃料に点火し、前記操作キャップが前記一方向へ操作されて前記所定の方向へ回動されたときに前記燃料を外部に噴出させるノズルと、ロック孔と点火されて灯された炎が噴出される火口とを有し前記ノズルを覆うフレームカバーと、前記フレームカバーのロック孔に挿入され前記操作キャップの前記本体に対する前記所定の方向への回動を規制するロック位置と前記フレームカバーのロック孔から引き出され前記操作キャップの前記本体に対する前記所定の方向への回動を可能とする非ロック位置との間で前記操作キャップに移動自在に支持されると共に被作用部を有するロック部材と、前記ロック部材を前記ロック位置へ向けて付勢するロック用バネと、前記ロック部材の被作用部に摺動可能とされた作用部を有すると共に前記作用部が前記被作用部に摺動して前記ロック部材を前記非ロック位置に移動させるロック解除位置と前記ロック部材を前記ロック位置に保持する保持位置との間で前記操作キャップに移動自在に支持されたロック解除レバーとを備えたものである。
【００１９】
従って、ライターにあっては、ロック解除レバーが保持位置からロック解除位置に移動されてロック部材がロック位置から非ロック位置に移動され、操作キャップの本体に対するロックが解除されて操作キャップの本体に対する回動が可能とされる。
【００２０】
上記したライターにおいては、前記操作キャップを操作する前記一方向と前記ロック解除レバーの前記保持位置から前記ロック解除位置へ向かう方向とを異なる方向にすることが望ましい。
【００２１】
操作キャップを操作する一方向とロック解除レバーの保持位置からロック解除位置へ向かう方向とを異なる方向にすることにより、ロック解除レバーが保持位置に保持されている状態において操作キャップがケース体に対して回動され難い。
【００２２】
上記したライターにおいては、前記操作キャップを操作する前記一方向と前記ロック解除レバーの前記保持位置から前記ロック解除位置へ向かう方向とを直交する方向にすることが望ましい。
【００２３】
操作キャップを操作する一方向とロック解除レバーの保持位置からロック解除位置へ向かう方向とを直交する方向にすることにより、ロック解除レバーが保持位置に保持されている状態において操作キャップがケース体に対して回動されない。
【００２４】
上記したライターにおいては、前記ロック解除レバーを前記保持位置へ向けて付勢する付勢バネを設けることが望ましい。
【００２５】
ロック解除レバーを保持位置へ向けて付勢する付勢バネを設けることにより、ロック解除レバーに対する操作を行わないときにロック解除レバーが付勢バネの付勢力によって保持位置に保持される。
【００２６】
上記したライターにおいては、前記ロック解除レバーの作用部に前記ロック部材の被作用部と摺動可能とされる摺動傾斜面を形成し、前記ロック解除レバーの作用部に前記ロック部材の被作用部を介して前記ロック用バネの付勢力が伝達されて前記ロック解除レバーが前記保持位置へ向けて付勢されるようにすることが望ましい。
【００２７】
ロック解除レバーの作用部にロック用バネの付勢力が伝達されてロック解除レバーが保持位置へ向けて付勢されるようにすることにより、ロック解除レバーに対する操作を行わないときにロック解除レバーがロック用バネの付勢力によって保持位置に保持される。
【発明の効果】
【００２８】
本発明ライターは、内部に燃料が封入されたケース体を有する本体と、前記本体に回動自在に支持された操作キャップと、前記操作キャップを一方向へ操作して所定の方向へ回動させることによって燃料に点火するライターであって、前記操作キャップが前記一方向へ操作されて前記所定の方向へ回動されたときに前記燃料を外部に噴出させるノズルと、ロック孔と点火されて灯された炎が噴出される火口とを有し前記ノズルを覆うフレームカバーと、前記フレームカバーのロック孔に挿入され前記操作キャップの前記本体に対する前記所定の方向への回動を規制するロック位置と前記フレームカバーのロック孔から引き出され前記操作キャップの前記本体に対する前記所定の方向への回動を可能とする非ロック位置との間で前記操作キャップに移動自在に支持されると共に被作用部を有するロック部材と、前記ロック部材を前記ロック位置へ向けて付勢するロック用バネと、前記ロック部材の被作用部に摺動可能とされた作用部を有すると共に前記作用部が前記被作用部に摺動して前記ロック部材を前記非ロック位置に移動させるロック解除位置と前記ロック部材を前記ロック位置に保持する保持位置との間で前記操作キャップに移動自在に支持されたロック解除レバーとを備えたことを特徴とする。
【００２９】
従って、ロック解除レバーを操作してロックを解除しないと操作キャップをケース体に対して回動させて点火を行うことができないため、誤って操作キャップが回動されて点火が行われてしまうことがなく、安全性の向上を図ることができる。
【００３０】
特に、子供や若年者がライターを把持してしまったときに操作キャップが回動されてしまうことを防止することができ、子供や若年者に対する安全性を確保することができる。
【００３１】
請求項２に記載した発明にあっては、前記操作キャップを操作する前記一方向と前記ロック解除レバーの前記保持位置から前記ロック解除位置へ向かう方向とを異なる方向にしている。
【００３２】
従って、ロック解除レバーが保持位置に保持されている状態において操作キャップを操作してしまったときにロック解除レバーが操作され難く、誤操作を防止することが可能となる。
【００３３】
請求項３に記載した発明にあっては、前記操作キャップを操作する前記一方向と前記ロック解除レバーの前記保持位置から前記ロック解除位置へ向かう方向とを直交する方向にしている。
【００３４】
従って、ロック解除レバーが保持位置に保持されている状態において操作キャップを操作してしまったときにロック解除レバーが操作されることがなく、誤操作を確実に防止することができる。
【００３５】
請求項４に記載した発明にあっては、前記ロック解除レバーを前記保持位置へ向けて付勢する付勢バネを設けている。
【００３６】
従って、ロック解除レバーに対する操作を行わないときにロック解除レバーが確実に保持位置に保持され、一層の安全性の向上を図ることができる。
【００３７】
請求項５に記載した発明にあっては、前記ロック解除レバーの作用部に前記ロック部材の被作用部と摺動可能とされる摺動傾斜面を形成し、前記ロック解除レバーの作用部に前記ロック部材の被作用部を介して前記ロック用バネの付勢力が伝達されて前記ロック解除レバーが前記保持位置へ向けて付勢されるようにしている。
【００３８】
従って、ロック解除レバーを付勢する専用のバネ部材を必要とせず、部品点数の削減及び機構の簡素化を図ることができる。
【発明を実施するための最良の形態】
【００３９】
以下に、本発明ライターの実施の形態について、添付図面を参照して説明する。
【００４０】
ライター１は本体２と該本体２に回動自在に支持された操作キャップ３とを有している（図１及び図２参照）。ライター１は縦長の扁平な形状に形成されている。
【００４１】
以下の説明にあっては、説明の便宜上、ライター１における幅が小さい方向を左右方向とし、ライター１における幅が大きい方向を前後方向とし、前後方向において点火されて炎が灯される側を前方とする。但し、これらの方向は説明の便宜上示す方向であり、本発明ライターの適用においては、これらの方向に限定されることはない。
【００４２】
本体２は樹脂材料によって形成されたケース体４を有し、該ケース体４は縦長の形状に形成され上方に開口されている。ケース体４は内部空間が図示しない隔壁によって上下に位置する２つの空間に分割されている。ケース体４の内部における下側の空間には液化燃料が封入され、上側の空間にはノズル５を有するノズルユニットと図示しない点火手段がそれぞれ配置されている。
【００４３】
ノズル５は上下方向へ移動可能とされ、点火時に上方へ移動され消火時に下方へ移動される。ノズル５が上方へ移動されるとノズルユニットに形成された燃料供給路が開放され、ノズル５が下方へ移動されると燃料供給路が閉塞される。
【００４４】
液化燃料は点火時に気化されてノズルユニットに連結された図示しない燃料パイプを介して燃料用ガスとしてノズル５から噴出される。
【００４５】
点火手段は衝撃を加えることによって点灯電圧（高電圧パルス）を発生させる圧電素子を内蔵し、該圧電素子に衝撃を付与するハンマーと放電を行うための高圧リードとを有している。点火手段においては、ハンマーが動作されて衝撃が付与された圧電素子によって点灯電圧が発生し、発生した点灯電圧が高圧リードによってノズル５の上端付近に放電される。ノズル５の上端付近に点灯電圧が放電されることにより、ノズル５から噴出される燃料用ガスに点火される。
【００４６】
操作キャップ３は前後方向へ延びるカバー６と該カバー６の前後方向における略中央部から下方へ突出された被支持アーム７とが一体に形成されて成る（図３乃至図５参照）。操作キャップ３はケース体４に対して閉塞位置と開放位置の間で回動可能とされ、図示しない付勢手段によって閉塞位置へ向けて付勢されている。
【００４７】
カバー６は前側の半部が閉塞部６ａとして設けられ後側の半部が操作部６ｂとして設けられている。カバー６の操作部６ｂは下縁がケース体４の形状に対応して後方へ行くに従って下方へ変位する曲線状に形成されている。
【００４８】
カバー６には外周部を除いた部分に上方に開口された支持凹部８が形成されている。支持凹部８の周面における上端寄りの位置には上方を向く取付用段差面８ａが形成されている。従って、支持凹部８は取付用段差面８ａより上側の部分が、これより下側の部分より一回り大きくされている。
【００４９】
支持凹部８には閉塞部６ａに前後に離隔して上方へ突出された規制壁９、１０が設けられている。支持凹部８には規制壁９、１０間に上下に貫通された支持孔１１が形成されている。
【００５０】
支持凹部８には後側の規制壁１０の後側に上方へ突出されたバネ支持突部１２が設けられている。
【００５１】
被支持アーム７はカバー６に連続され上下に延びる基体部１３と該基体部１３の下面における左右両端部からそれぞれ下方へ突出された被支持突部１４、１４と基体部１３の下端部から後方へ突出された取付突部１５とから成る。
【００５２】
被支持突部１４、１４の外面にはそれぞれ外方へ突出された被支持ピン１４ａ、１４ａが設けられている。
【００５３】
取付突部１５には下方に開口された取付凹部１５ａが形成されている。取付突部１５の左右両側面部にはそれぞれ左右に貫通された取付孔１５ｂ、１５ｂが形成されている。
【００５４】
操作キャップ３は被支持アーム７の被支持ピン１４ａ、１４ａがそれぞれケース体４の内面に形成された図示しない支持凹部に挿入され、被支持ピン１４ａ、１４ａを支点としてケース体４に回動自在に支持される。
【００５５】
支持凹部８に形成された支持孔１１にはロック部材１６が上下方向へ移動自在に支持されている。ロック部材１６は基部１７と該基部１７の上端部から後方へ突出された突部１８と基部１７の上端部からそれぞれ左右に突出された被作用部１９、１９とが一体に形成されて成る。
【００５６】
基部１７には上方に開口されたバネ支持凹部１７ａが形成されている。
【００５７】
被作用部１９、１９はそれぞれ下方へ凸の半円柱状に形成され、下方側の面がそれぞれ摺動円弧面１９ａ、１９ａとして形成され、上面が基部１７の上面とそれぞれ同一平面上に位置されている。
【００５８】
ロック部材１６は基部１７が支持孔１１に挿入されて上下方向へ移動自在に支持される（図５参照）。ロック部材１６は下方側の移動端であるロック位置と上方側の移動端である非ロック位置との間で移動可能とされ、突部１８と被作用部１９、１９が支持凹部８の底面に接した状態においてロック位置に保持される。ロック部材１６は支持凹部８に設けられた規制壁９、１０によって前後方向への移動が規制され、突部１８の後縁が後側の規制壁１０に近接して位置されることにより水平方向における回転が規制されている。
【００５９】
支持凹部８にはロック解除レバー２０が前後方向へ移動自在に支持されている。ロック解除レバー２０はベース部２１と該ベース部２１から上方へ突出された操作突部２２とベース部２１からそれぞれ前方へ突出された作用部２３、２３とが一体に形成されて成る（図３及び図５参照）。
【００６０】
ベース部２１の後端部には下方へ突出されたバネ受け突部２１ａが設けられている。
【００６１】
操作突部２２の上面は凹凸部２２ａとして形成されている。
【００６２】
作用部２３、２３は左右に離隔して位置され、前端部にそれぞれ前方へ行くに従って下方に変位するように傾斜された摺動傾斜面２３ａ、２３ａを有している。
【００６３】
ロック解除レバー２０は作用部２３、２３がそれぞれ規制壁９、１０の側方における外側に位置され、後方側の移動端である保持位置と前方側の移動端であるロック解除位置との間で移動可能とされている。ロック解除レバー２０は保持位置において作用部２３、２３の摺動傾斜面２３ａ、２３ａがそれぞれロック部材１６における被作用部１９、１９の摺動円弧面１９ａ、１９ａに接した状態で位置されている（図５参照）。
【００６４】
ロック解除レバー２０が支持凹部８に支持された状態において、バネ支持突部１２とロック解除レバー２０のバネ受け突部２１ａとの間に付勢バネ２４が支持される。付勢バネ２４は、例えば、圧縮コイルバネであり、付勢バネ２４によってロック解除レバー２０が保持位置へ向けて付勢される。
【００６５】
支持凹部８にロック部材１６とロック解除レバー２０が支持された状態において、カバー６に上下方向を向く略平板状のキャップカバー２５が取り付けられる（図３乃至図５参照）。
【００６６】
キャップカバー２５には上面の前端寄りの位置における左右両端部にそれぞれ被押さえ凹部２５ａ、２５ａが形成され、該被押さえ凹部２５ａ、２５ａは上方及び外方に開口されている。
【００６７】
キャップカバー２５の下面における前端寄りの位置には、下方に開口されたバネ受け凹部２５ｂが形成されている。
【００６８】
キャップカバー２５の下面における後端部側には下方に開口された移動用凹部２５ｃが形成されている。キャップカバー２５の後端部側には上下に貫通された配置孔２５ｄが形成され、該配置孔２５ｄは移動用凹部２５ｃに連通されている。配置孔２５ｄは前後に長く形成されている。
【００６９】
キャップカバー２５は支持凹部８を上方から覆うようにしてカバー６に取り付けられ支持凹部８に嵌合される。キャップカバー２５がカバー６に取り付けられた状態においては、キャップカバー２５の下面における外周部が支持凹部８に形成された取付用段差面８ａに接した状態とされる。
【００７０】
キャップカバー２５がカバー６に取り付けられた状態においては、移動用凹部２５ｃにロック解除レバー２０におけるベース部２１の上端部が配置される。従って、キャップカバー２５は支持凹部８と移動用凹部２５ｃに配置された状態で前後方向へ移動可能とされる。
【００７１】
また、キャップカバー２５がカバー６に取り付けられた状態においては、配置孔２５ｄからロック解除レバー２０の操作突部２２における上端部が上方へ突出される。
【００７２】
キャップカバー２５がカバー６に取り付けられた状態においては、ロック部材１６のバネ支持凹部１７ａとキャップカバー２５のバネ受け凹部２５ｂとの間にロック用バネ２６が支持される（図５参照）。ロック用バネ２６は、例えば、圧縮コイルバネであり、ロック用バネ２６によってロック部材１６がロック位置へ向けて付勢される。
【００７３】
カバー６の前端部には金属材料によって形成されたキャップ２７が取り付けられる（図３乃至図５参照）。キャップ２７は前方へ凸の略Ｕ字状に形成された周面部２７ａと該周面部２７ａの上縁から内方へ張り出された上側張出部２７ｂと該上側張出部２７ｂの左右両側部からそれぞれ内方へ突出された押さえ部２７ｃ、２７ｃと周面部２７ａの下縁から内方へ張り出された下側張出部２７ｄと周面部２７ａの後縁からそれぞれ内方へ張り出された後側張出部２７ｅ、２７ｅとが一体に形成されて成る。
【００７４】
キャップ２７はカバー６の前端部を覆うように取り付けられる。キャップ２７がカバー６に取り付けられた状態においては、押さえ部２７ｃ、２７ｃがそれぞれキャップカバー２５の被押さえ凹部２５ａ、２５ａに挿入され、キャップカバー２５が押さえ部２７ｃ、２７ｃによって上方から押さえられる（図４参照）。従って、キャップカバー２５のカバー６からの浮き上がりが防止される。
【００７５】
操作キャップ３の被支持アーム７にはキャップブラケット２８が取り付けられる（図３乃至図５参照）。キャップブラケット２８は被取付部２９と該被取付部２９から後方へ突出された押圧突部３０とが一体に形成されて成り、被取付部２９の左右両側面にそれぞれ外方へ突出された嵌合突部２９ａ、２９ａが設けられている。嵌合突部２９ａ、２９ａは外方へ凸の半球状に形成されている。
【００７６】
キャップブラケット２８は被取付部２９が取付凹部１５ａに挿入され嵌合突部２９ａ、２９ａがそれぞれ内側から取付孔１５ｂ、１５ｂに嵌合されることにより被支持アーム７に取り付けられる。
【００７７】
キャップブラケット２８は被支持アーム７に取り付けられた状態において、押圧突部３０が点火手段のハンマーの真上に位置される。
【００７８】
ケース体４の上部における前端部にはフレームカバー３１が取り付けられている（図１乃至図５参照）。フレームカバー３１は、図３に示すように、上面部３２と該上面部３２の後縁を除く外周縁から下方へ突出された周面部３３とが金属材料によって一体に形成されて成る。
【００７９】
上面部３２には火口３２ａとロック孔３２ｂが前後に連続して形成されている。このように火口３２ａとロック孔３２ｂは上面部３２に連続して形成されているため、フレームカバー３１の形成を容易に行うことができる。
【００８０】
周面部３３には空気孔３３ａ、３３ａ、・・・が形成されている。
【００８１】
フレームカバー３１がケース体４に取り付けられることにより、ノズル５がフレームカバー３１によって覆われ、ノズル５の真上に火口３２ａが位置される（図５参照）。
【００８２】
ロック部材１６は下方側の移動端であるロック位置にあるときに、基部１７がフレームカバー３１のロック孔３２ｂに上方から挿入されている。
【００８３】
ケース体４にはフレームカバー３１の直ぐ下側の位置に火力を調整するための調整用摘子３４が支持されている（図１及び図２参照）。
【００８４】
以上のように構成されたライター１において、燃料に対する点火操作は以下のようにして行われる（図５乃至図７参照）。
【００８５】
先ず、燃料に対する点火操作が行われる前の初期状態について説明する（図５参照）。
【００８６】
初期状態において、操作キャップ３は付勢手段によって付勢されて閉塞位置に保持され閉塞部６ａによってフレームカバー３１の火口３２ａが上方から閉塞されている。このときノズル５は下方の移動端に位置され、ノズルユニットの弁機構によって燃料供給路が閉塞されている。
【００８７】
初期状態において、ロック部材１６はロック用バネ２６の付勢力によって下方側の移動端であるロック位置に保持され、基部１７がフレームカバー３１のロック孔３２ｂに挿入されて操作キャップ３がケース体４にロックされている。従って、ロック部材１６がロック位置にある状態において操作キャップ３の操作部６ｂを下方へ押圧しても、基部１７がロック孔３２ｂの開口縁に係合され操作キャップ３はケース体４に対して回動されない。
【００８８】
ロック解除レバー２０は付勢バネ２４によって付勢されており、初期状態において、後方側の移動端である保持位置に保持されている。
【００８９】
上記した初期状態にあるライター１に対して、先ず、操作キャップ３のケース体４に対するロックを解除する（図６参照）。操作キャップ３のケース体４に対するロックの解除は、例えば、ケース体４を片手で把持し、操作突部２２の上面に指１００を宛ってロック解除レバー２０を付勢バネ２４の付勢力に抗してロック解除位置まで移動させる。操作突部２２の上面は凹凸部２２ａとして形成されているため、指１００が操作突部２２に対して滑り難く、良好な操作性を確保することができる。
【００９０】
ロック解除レバー２０が保持位置からロック解除位置まで移動されるときには、ロック解除レバー２０における作用部２３、２３の摺動傾斜面２３ａ、２３ａがそれぞれロック部材１６における作用部１９、１９の摺動円弧面１９ａ、１９ａに摺動され、ロック部材１６がロック用バネ２６の付勢力に抗してロック位置から非ロック位置へ向けて上方へ移動されていく。ロック部材１６が非ロック位置まで移動されると、基部１７がロック孔３２ｂから上方へ引き出され、操作キャップ３のケース体４に対するロックが解除される。
【００９１】
次に、操作キャップ３のケース体４に対するロックが解除された状態において、ロック解除レバー２０を指１００によってロック解除位置に保持したままで操作キャップ３の操作部６ｂの後端部を操作方向とされた一方向である下方へ押圧する（図７参照）。
【００９２】
操作キャップ３の操作部６ｂの後端部を下方へ押圧すると、操作キャップ３のケース体４に対するロックが解除されているため、操作キャップ３がケース体４に対して開放位置まで回動されていく。操作キャップ３がケース体４に対して回動されるため、フレームカバー３１の火口３２ａが開放される。
【００９３】
操作キャップ３がケース体４に対して回動されると、ノズル５が上方へ移動されノズルユニットの弁機構によって燃料供給路が開放され、液化燃料が気化して燃料パイプを介して燃料用ガスとしてノズル５から噴出される。同時に、操作キャップ３が回動されることによりケース体４の内部に配置された点火手段のハンマーがキャップブラケット２８の押圧突部３０によって下方へ押圧され、ハンマーが下降されて圧電素子に衝撃が付与される。圧電素子に衝撃が付与されると点灯電圧が発生し、発生した点灯電圧が高圧リードによってノズル５の上端付近に放電される。ノズル５の上端付近に点灯電圧が放電されることにより、ノズル５から噴出される燃料用ガスに点火される。
【００９４】
燃料用ガスに点火されると、点火された燃料用ガスはフレームカバー３１の火口３２ａ付近で燃焼されて炎１００が火口３２ａから上方へ延びるように灯される。
【００９５】
燃料用ガスが燃焼している状態においては、フレームカバー３１及びキャップ２７が特に熱せられるが、フレームカバー３１及びキャップ２７は金属材料によって形成されているため、フレームカバー３１及びキャップ２７からの良好な放熱性が確保される。
【００９６】
操作キャップ３の操作部６ｂに対する指１００による下方への押圧を解除すると、付勢手段によって操作キャップ３がケース体４に対して上記とは反対方向へ回動され、ノズル５が下方へ移動されノズルユニットの弁機構によって燃料供給路が閉塞され、燃料用ガスのノズル５からの噴出が停止されて消火される。
【００９７】
操作キャップ３は付勢手段の付勢力によってフレームカバー３１の火口３２ａを上方から閉塞する閉塞位置に戻る（図５参照）。操作キャップ３が開放位置から閉塞位置へ戻るときには、ロック部材１６がロック用バネ２６の付勢力によって下方へ移動されて非ロック位置からロック位置に戻り、ロック解除レバー２０が付勢バネ２４の付勢力によって後方へ移動されてロック解除位置から保持位置に戻る。
【００９８】
操作キャップ３が開放位置から閉塞位置まで回動されたときには、点火手段のハンマーに対するキャップブラケット２８の押圧突部３０による下方への押圧が解除される。
【００９９】
以上に記載した通り、ライター１にあっては、操作キャップ３の本体２に対する所定の方向への回動を規制するロック位置と操作キャップ３の本体２に対する所定の方向への回動を可能とする非ロック位置との間で移動されるロック部材１６を設け、該ロック部材１６をロック位置と非ロック位置の間で移動させるロック解除レバー２０を設けている。
【０１００】
従って、ロック解除レバー２０を操作してロックを解除しないと操作キャップ３をケース体４に対して回動させて点火を行うことができないため、誤って操作部６ｂが下方へ押圧され操作キャップ３が回動されて点火が行われてしまうことがなく、安全性の向上を図ることができる。
【０１０１】
特に、子供や若年者がライター１を把持してしまったときに操作キャップ３が回動されてしまうことを防止することができ、子供や若年者に対する安全性を確保することができる。
【０１０２】
また、ライター１にあっては、操作キャップ３を操作する方向とロック解除レバー２０の保持位置からロック解除位置へ向かう方向とが異なる方向であるため、ロック解除レバー２０が保持位置に保持されている状態において操作キャップ３を操作してしまったときにロック解除レバー２０が操作され難く、誤操作を防止することが可能となる。
【０１０３】
さらに、上記したように、操作キャップ３を操作する方向を下方とし、ロック解除レバー２０の保持位置からロック解除位置へ向かう方向を前方とし、操作キャップ３を操作する方向とロック解除レバー２０の移動方向とを直交する方向とすることにより、ロック解除レバー２０が保持位置に保持されている状態において操作キャップ３を操作してしまったときにロック解除レバー２０が操作されることがなく、誤操作を確実に防止することができる。
【０１０４】
尚、上記には、操作キャップ３を操作する方向とロック解除レバー２０の移動方向とを直交する方向とした例を示したが、操作キャップ３を操作する方向とロック解除レバー２０の移動方向とは直交する方向に限られることはなく、両者が異なる方向とされていればよい。
【０１０５】
加えて、ライター１にあっては、ロック解除レバー２０を保持位置へ向けて付勢する付勢バネ２４を設けているため、ロック解除レバー２０に対する操作を行わないときにロック解除レバー２０が確実に保持位置に保持され、一層の安全性の向上を図ることができる。
【０１０６】
尚、上記には、ロック解除レバー２０を付勢する付勢バネ２４を設けた例を示したが、例えば、以下のように、ロック部材１６を付勢するロック用バネ２６を用いてロック解除レバー２０を保持位置へ向けて付勢することが可能である（図８参照）。
【０１０７】
ロック用バネ２６の付勢力はロック部材１６に下方への移動力として付与されている。このときロック部材１６における作用部１９、１９の摺動円弧面１９ａ、１９ａがロック解除レバー２０における作用部２３、２３の摺動傾斜面２３ａ、２３ａに接した状態とされている。このとき、ロック用バネ２６の付勢力をロック部材１６の作用部１９、１９を介してロック解除レバー２０に後方への移動力として付与することが可能である。
【０１０８】
従って、ロック部材１６がロック用バネ２６の付勢力によって非ロック位置からロック位置まで移動（矢印Ａ）されるときに、作用部１９、１９を介してロック用バネ２６の付勢力がロック解除レバー２０に伝達され該ロック解除レバー２０がロック解除位置から保持位置まで移動（矢印Ｂ）される。
【０１０９】
このようにロック解除レバー２０の保持位置へ向けての付勢をロック用バネ２６によって行うことにより、ロック解除レバー２０を付勢する専用のバネ部材を必要とせず、ライター１の部品点数の削減及び機構の簡素化を図ることができる。
【０１１０】
尚、ロック解除レバー２０にロック用バネ２６の付勢力を作用させるときには、ロック解除レバー２０における作用部１９、１９の摺動傾斜面１９ａ、１９ａの傾斜角度α（図８参照）を４５°より大きくすることが望ましい。
【０１１１】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【０１１２】
【図１】図２乃至図８と共に本発明ライターの実施の形態を示すものであり、本図は斜視図である。
【図２】操作キャップが回動された状態で示すライターの斜視図である。
【図３】操作キャップ等の分解斜視図である。
【図４】操作キャップ等の拡大斜視図である。
【図５】操作キャップが閉塞位置にあり、ロック解除レバーが保持位置にある状態を示す拡大断面図である。
【図６】操作キャップが閉塞位置にあり、ロック解除レバーがロック解除位置に移動されて操作キャップのケース体に対するロックが解除された状態を示す拡大断面図である。
【図７】操作キャップが開放位置まで回動された状態を示す拡大断面図である。
【図８】ロック解除レバーがロック用バネによって付勢される例を示す拡大断面図である。
【図９】図１０と共に従来のライターの一例を示すものであり、本図は、操作キャップが回動される前の状態を示す拡大斜視図である。
【図１０】操作キャップが回動されてフレームカバーの火口が開放された状態を示す拡大斜視図である。
【符号の説明】
【０１１３】
１…ライター、２…本体、３…操作キャップ、４…ケース体、５…ノズル、１６…ロック部材、１９…被作用部、２０…ロック解除レバー、２３…作用部、２３ａ…摺動傾斜面、２４…付勢バネ、２６…ロック用バネ、３１…フレームカバー、３２ａ…火口、３２ｂ…ロック孔
【図１】
2011112292.tif 000003
【図２】
2011112292.tif 000004
【図３】
2011112292.tif 000005
【図４】
2011112292.tif 000006
【図５】
2011112292.tif 000007
【図６】
2011112292.tif 000008
【図７】
2011112292.tif 000009
【図８】
2011112292.tif 000010
【図９】
2011112292.tif 000011
【図１０】
2011112292.tif 000012